(57)【要約】【課題】簡易な構成により安価かつ容易に、シート材の破断を検知して患者の服薬確認を行うことができる行為完了判定システムを提供する。【解決手段】行為完了判定システムは、振動検出センサと、ピーク検出部と、ピーク間隔判定部と、を備える。前記振動検出センサは、振動を検出する。前記ピーク検出部は、前記振動検出センサが検出した振動から当該振動のピークを検出する。前記ピーク間隔判定部は、前記ピーク検出部が検出した前記振動のピーク間隔を判定する。行為完了判定システムは、前記ピーク間隔判定部が所定のピーク周期を判定することにより、行為の完了を判定する。【選択図】図１
2017055788.tif 000002
【特許請求の範囲】
【請求項１】
振動を検出する振動検出センサと、
前記振動検出センサが検出した振動から当該振動のピークを検出するピーク検出部と、
前記ピーク検出部が検出した前記振動のピーク間隔を判定するピーク間隔判定部と、
を備え、
前記ピーク間隔判定部が所定のピーク周期を判定することにより、行為の完了を判定する行為完了判定システム。
【請求項２】
前記ピーク間隔判定部は、隣り合う前記振動のピークの間隔を算出し、算出した間隔において、誤差の範囲内で同一とみなせる間隔が所定回数以上連続したか否かを判定する、
請求項１に記載の行為完了判定システム。
【請求項３】
前記振動検出センサは、内容物が収納される空間をシート材の内部に有する収納袋を破って開封する際に発せられる破断音を検出し、
前記ピーク検出部は、前記破断音から当該破断音のピークを検出し、
前記ピーク間隔判定部は、前記破断音のピーク間隔を判定し、
自システムにおいて、前記ピーク間隔判定部が所定のピーク周期を判定することにより、患者の服薬の完了を判定する、
請求項１または請求項２に記載の行為完了判定システム。
【請求項４】
前記振動検出センサは、内容物が収納される空間をシート材の内部に有する収納袋を破って開封する際に生じる振動を検出し、
前記ピーク検出部は、前記振動から当該振動のピークを検出し、
前記ピーク間隔判定部は、前記振動のピーク間隔を判定し、
自システムにおいて、前記ピーク間隔判定部が所定のピーク周期を判定することにより、患者の服薬の完了を判定する、
請求項１または請求項２に記載の行為完了判定システム。
【請求項５】
前記振動検出センサ、前記ピーク検出部、前記ピーク間隔判定部のそれぞれは、電子機器に備えられる、
請求項１から請求項４の何れか一項に記載の行為完了判定システム。
【請求項６】
前記振動検出センサは、電子機器に備えられ、
前記ピーク検出部、前記ピーク間隔判定部のそれぞれは、サーバーに備えられ、
請求項１から請求項４の何れか一項に記載の行為完了判定システム。
【請求項７】
振動を検出し、
検出した振動から当該振動のピークを検出し、
検出した前記振動のピーク間隔を判定し、
当該振動のピーク間隔が所定のピーク周期であると判定した場合に、行為が完了したと判定する、行為完了判定方法。
【請求項８】
コンピュータを、
振動検出センサが検出した振動から当該振動のピークを検出するピーク検出手段、
前記ピーク検出手段が検出した前記振動のピーク間隔を判定するピーク間隔判定手段、
前記ピーク間隔判定手段が所定のピーク周期を判定することにより、行為の完了を判定する行為完了判定手段、
として機能させるプログラム。
【発明の詳細な説明】
【技術分野】
【０００１】
本発明は、行為完了判定システム、行為完了判定方法及びプログラムに関する。
【背景技術】
【０００２】
病院や薬局などにおいては、薬ごとの個別の包装から、１回に服用すべき分の薬をまとめて袋詰めする一包化が進んでいる。
このように一包化された患者が薬を服用したか否かの確認は、患者の自己申告又は医師や看護師の聞き取り等によって行われていたが確実ではなく、近年、薬の飲み忘れを発生させないための様々な技術が提供されている。
【０００３】
例えば、特許文献１に示される開封検出シートは、包装材として用いられるシート本体と、該シート本体上に形成された複数の導線を有する導線部とを具備するものである。前記導線部を構成する複数の導線は、シート本体の開封に伴って断線され、この断線の有無を電気的に確認することによって服薬の確認を行うものである。
【０００４】
また、特許文献２に示される薬収納容器は、破断線に沿って封止部分が切離し可能な構成とされ、封止部分に非接触で読取が可能なＩＣチップが装着されたものである。該特許文献２では、被投薬者の腕に別途装着された被投薬者側ＩＣチップによって、容器側の封止部分にＩＣチップが存在しているか否かを検知することにより、該容器の開封がなされたか否かを判断するようにしている。
【先行技術文献】
【特許文献】
【０００５】
【特許文献１】特開２０１３−１６６５９０号公報
【特許文献２】特開２００５−８２２２３号公報
【発明の概要】
【発明が解決しようとする課題】
【０００６】
しかしながら、特許文献１に示される技術では、破断を検出するための導線を備えた基板をシート本体に設ける必要があり、再使用されないが故にコストダウンが求められる包装材のコストが高くなるという問題がある。また、導線を備えた包装材は、従来の紙や樹脂シートの生産するための既存の設備をそのまま使用することができないという問題がある。
一方、特許文献２に示される技術では、薬収納容器の封止部分にＩＣチップを装着し、かつ患者側にも検出センサとなる被投薬者側ＩＣチップを装着する必要があり、紙製の薬包紙を用いる場合に比してコストの高いＩＣチップ、及び通信システムが必要となるという問題がある。
そのため、簡易な構成によって、シート材の破断を検知して患者の服薬確認を行うことのできる技術が求められていた。
【０００７】
そこでこの発明は、上記の課題を解決することのできる行為完了判定システム、行為完了判定方法及びプログラムを提供することを目的としている。
【課題を解決するための手段】
【０００８】
上記目的を達成するために、本発明は、振動を検出する振動検出センサと、前記振動検出センサが検出した振動から当該振動のピークを検出するピーク検出部と、前記ピーク検出部が検出した前記振動のピーク間隔を判定するピーク間隔判定部と、を備え、前記ピーク間隔判定部が所定のピーク周期を判定することにより、行為の完了を判定する行為完了判定システムである。
【０００９】
また、本発明は、振動を検出し、検出した振動から当該振動のピークを検出し、検出した前記振動のピーク間隔を判定し、当該振動のピーク間隔が所定のピーク周期であると判定した場合に、行為が完了したと判定する、行為完了判定方法である。
【００１０】
また、本発明は、コンピュータを、振動検出センサが検出した振動から当該振動のピークを検出するピーク検出手段、前記ピーク検出手段が検出した前記振動のピーク間隔を判定するピーク間隔判定手段、前記ピーク間隔判定手段が所定のピーク周期を判定することにより、行為の完了を判定する行為完了判定手段、として機能させるプログラムである。
【発明の効果】
【００１１】
本発明の行為完了判定システムにより、簡易な構成により安価かつ容易に、シート材の破断を検知して患者の服薬確認を行うことができる。
【図面の簡単な説明】
【００１２】
【図１】本発明の第一の実施形態による行為完了判定システムの構成を示す図である。
【図２】本実施形態による収納袋の破断音の波形を示す図である。
【図３】本実施形態による収納袋の破断音の波形の解析を説明するための図である。
【図４】本実施形態による行為完了判定システムの処理フローを示す図である。
【図５】本実施形態による行為完了判定システムの処理フローを説明するための図である。
【図６】本発明の第二の実施形態による行為完了判定システムの構成を示す図である。
【図７】本発明の行為完了判定システムの最小構成を示す図である。
【発明を実施するための形態】
【００１３】
以下、図面を参照しながら実施形態について説明する。
＜第一の実施形態＞
まず、本発明の第一の実施形態による行為完了判定システム１０の構成について説明する。
本実施形態による行為完了判定システム１０は、図１に示すように、マイクロフォン（振動検出センサ）１０１と、ピーク検出部１０２と、ピーク間隔判定部１０３と、行為完了判定部１０４と、を備える。
【００１４】
マイクロフォン１０１は、音（振動）を検出する。マイクロフォン１０１は、例えば、スマートフォン又はウェアラブル端末等の電子機器が備えるマイクロフォンである。また、音は、例えば、薬、サプリメント等の内容物が収納される空間をシート材の内部に有する収納袋を破って開封する際にシート材の破断によって発せられる破断音である。収納袋のシート材には、破断する方向と交差するように帯状又は線状の破断判別エリアが形成され、破断判別エリアは他の部分と厚さ、密度、単位面積当たりの重量等の物理的性質が異なるように設けられる。このようなシート材を有する収納袋である場合、収納袋を破って開封する際に、図２に示すように、環境音よりも大きく所定の周期のピークを有する破断音が収納袋から発せられる。
【００１５】
ピーク検出部１０２は、マイクロフォン１０１が検出した音から当該音のピークを検出する。
【００１６】
ピーク間隔判定部１０３は、ピーク検出部１０２が検出した音のピーク間隔を判定する。具体的には、ピーク間隔判定部１０３は、マイクロフォン１０１が期間Ｔにおいて検出した音の音量が所定のしきい値以上の音量であるか否かを判定する。ピーク間隔判定部１０３は、所定のしきい値以上の音量であると判定した音に対して、ピーク音が発せられた各タイミングを特定する。ピーク間隔判定部１０３は、特定した各タイミングにおいて、隣り合うタイミングの時間間隔を算出する。ピーク間隔判定部１０３は、算出した時間間隔において、誤差の範囲内で同一とみなせる時間間隔が所定回数以上連続したか否かを判定する。例えば、ピーク間隔判定部１０３は、図２で示した音の場合、図３に示すように、各期間Ｔにおいて、音がしきい値Ａｔｈ以上であるか否かを判定し、ピーク音ｐ１、ｐ２、ｐ３、・・・を特定する。ピーク間隔判定部１０３は、ピーク音ｐ１が発せられた時刻ｔ１を特定する。ピーク間隔判定部１０３は、ピーク音ｐ２、ｐ３、・・・のそれぞれについても同様に時刻ｔ２、ｔ３、・・・を特定する。ピーク間隔判定部１０３は、時刻ｔ２と時刻ｔ１の時間間隔Δｔ１を算出する。ピーク間隔判定部１０３は、同様に、時刻ｔ３と時刻ｔ２の時間間隔Δｔ２、時刻ｔ４と時刻ｔ３の時間間隔Δｔ３、・・・のそれぞれについても同様に算出する。ピーク間隔判定部１０３は、時間間隔Δｔ１、Δｔ２、Δｔ３、・・・に対して（Δｔ２−Δｔ１）、（Δｔ３−Δｔ２）、（Δｔ４−Δｔ３）、・・・を順に算出し、算出した順に予め誤差として設定した値Ｅｒｒの範囲内であるか否かを判定する。ピーク間隔判定部１０３は、値Ｅｒｒの範囲内であるとする判定が所定回数（例えば３回）連続した場合に、３回の判定に使用した時間間隔のうちの最大値と最小値との差を算出し、算出した差が値Ｅｒｒ以内である場合に、５つのピーク音が同一の時間間隔で連続して発せられたと判定する。
【００１７】
行為完了判定部１０４は、ピーク間隔判定部１０３が所定のピーク周期を判定した場合に、行為の完了を判定する。例えば、行為完了判定部１０４は、ピーク間隔判定部１０３が図２で示した音において同一とみなせる時間間隔が所定回数以上連続したと判定した場合には、収納袋を破って開封し内容物である薬を服用したと判定する。
【００１８】
次に、図４に示す本実施形態による行為完了判定システム１０の処理フローについて説明する。
なお、図５に示す電子機器１６が行為完了判定システム１０を備えている、すなわち、行為完了判定システム１０のマイクロフォン１０１は、電子機器１６に内蔵される既存のマイクロフォン１０１である。また、電子機器１６の備えるＣＰＵ（Ｃｅｎｔｒａｌ  Ｐｒｏｃｅｓｓｉｎｇ  Ｕｎｉｔ）１１０がプログラムを実行することにより、行為完了判定システム１０のピーク検出部１０２と、ピーク間隔判定部１０３と、行為完了判定部１０４の機能を実現しているものとする。また、電子機器１６は、データを外部に送受信する通信手段１２０を備えている。
ここでは、患者が収納袋２０を破って開封し内容物である薬を服用する場合を例に、行為完了判定システム１０の処理について説明する。
【００１９】
マイクロフォン１０１は、常時周囲の音を検出する。マイクロフォン１０１は、患者が収納袋２０を破って開封し内容物である薬を服用する際の破断音を検出する（ステップＳ１）。
ピーク検出部１０２は、マイクロフォン１０１からマイクロフォン１０１が検出した破断音を取得する。
ピーク検出部１０２は、取得した破断音において音のピークを判定する（ステップＳ２）。具体的には、ピーク検出部１０２は、取得した期間Ｔの音と時間ｔとを関連づけた音データを生成する。ピーク検出部１０２は、音データにおいて音のピークを特定する。
ピーク検出部１０２は、特定した音のピークを示す情報を含む音データをピーク間隔判定部１０３に送信する。
【００２０】
ピーク間隔判定部１０３は、ピーク検出部１０２から音データを受信する。ピーク間隔判定部１０３は、受信した音データに含まれる音のピーク間隔を判定する（ステップＳ３）。具体的には、ピーク間隔判定部１０３は、マイクロフォン１０１が期間Ｔにおいて検出した音の音量が所定のしきい値以上の音量であるか否かを判定する。ピーク間隔判定部１０３は、所定のしきい値以上の音量であると判定した音に対して、ピーク音が発せられた各タイミングを特定する。ピーク間隔判定部１０３は、特定した各タイミングにおいて、隣り合うタイミングの時間間隔を算出する。ピーク間隔判定部１０３は、算出した時間間隔において、誤差の範囲内で同一とみなせる時間間隔が所定回数以上連続したか否かを判定する。
ピーク間隔判定部１０３は、音のピーク間隔の判定結果を行為完了判定部１０４に送信する。
【００２１】
行為完了判定部１０４は、ピーク間隔判定部１０３から音のピーク間隔の判定結果を受信する。行為完了判定部１０４は、ピーク間隔判定部１０３が所定のピーク周期を判定したことを示す判定結果をピーク間隔判定部１０３から受信した場合に、行為の完了を判定する（ステップＳ４）。例えば、行為完了判定部１０４は、ピーク間隔判定部１０３が音において同一とみなせる時間間隔が所定回数以上連続したと判定したことを示す判定結果をピーク間隔判定部１０３から受信した場合に、患者が収納袋を破って開封し内容物である薬を服用したと判定する。
行為完了判定部１０４は、通信手段１２０を用いて行為の完了の判定結果をサーバー１７に送信する（ステップＳ５）。
サーバー１７は、電子機器１６から行為の完了の判定結果を受信し、記憶部に記録する。サーバー１７は、判定結果である薬の服用情報を病院等からの要求に応じて出力することができる。
本実施形態による行為完了判定システム１０は、期間Ｔ毎に検出した音に対して上述のステップＳ１からステップＳ５の処理を繰り返す。
【００２２】
なお、上記実施形態の電子機器１６では、収納袋２０のシート材の破断を検出するための専用のアプリケーションを予めインストールして常駐させることで、２４時間、患者の服薬を検出することができる。
また、本実施形態では、電子機器１６が行為完了判定システム１０のマイクロフォン１０１、ピーク検出部１０２、ピーク間隔判定部１０３、及び、行為完了判定部１０４を備え、破断音を解析することで患者の服薬の有無を判断したが、これに限定されるものではない。例えば、サーバー１７が行為完了判定システム１０のピーク検出部１０２、ピーク間隔判定部１０３、及び、行為完了判定部１０４を備え、電子機器１６がマイクロフォン１０１を備えるものであってよい。その場合、電子機器１６のマイクロフォン１０１が検出した音のデータを通信手段１２０を用いてサーバー１７に送信し、サーバー１７のピーク検出部１０２、ピーク間隔判定部１０３、及び、行為完了判定部１０４が破断音を解析することで患者の服薬の有無を判断する。また、さらに電子機器１６やサーバー１７に接続された医療機関の端末やサーバー等が破断音を解析することで患者の服薬の有無を判断してもよい。
また、上述の本実施形態による行為完了判定システム１０の処理フローでは、マイクロフォン１０１が常時周囲の音を検出し、常時処理を行っているものとして説明したが、これに限定されるものではない。例えば、本実施形態による行為完了判定システム１０を備える電子機器１６、サーバー１７、その他のサーバー等は、朝、昼、夜の３食後など、予め定められた時間帯にアプリケーションを起動して音を解析することで、その時間帯に相当する服薬が完了したか否かを判定してもよい。
【００２３】
以上、本発明の第一の実施形態による行為完了判定システム１０の処理フローについて説明した。上述の本実施形態による行為完了判定システム１０の処理において、マイクロフォン１０１は、音を検出する。ピーク検出部１０２は、マイクロフォン１０１が検出した音から当該音のピークを検出する。ピーク間隔判定部１０３は、ピーク検出部１０２が検出した音のピーク間隔を判定する。行為完了判定部１０４は、ピーク間隔判定部１０３が所定のピーク周期を判定した場合に、行為の完了を判定する。
このようにすれば、行為完了判定システム１０は、簡易な構成により安価かつ容易に、シート材の破断を検知して患者の服薬確認を行うことができる。
【００２４】
＜第二の実施形態＞
本発明の第二の実施形態による行為完了判定システム１０の構成について説明する。
本実施形態による行為完了判定システム１０は、図６に示すように、加速度センサ（振動検出センサ）１０１と、ピーク検出部１０２と、ピーク間隔判定部１０３と、行為完了判定部１０４と、を備える。
【００２５】
加速度センサ１０１は、振動を検出する。加速度センサ１０１は、例えば、スマートフォン又はウェアラブル端末等の電子機器が備える加速度センサである。また、振動は、例えば、薬、サプリメント等の内容物が収納される空間をシート材の内部に有する収納袋を破って開封する際にシート材の破断時に生じる手の振動及び手の振動に伴う全身の振動である。収納袋のシート材には、破断する方向と交差するように帯状又は線状の破断判別エリアが形成され、破断判別エリアは他の部分と厚さ、密度、単位面積当たりの重量等の物理的性質が異なるように設けられる。このようなシート材を有する収納袋である場合、収納袋を破って開封する際に、物理的性質の異なる箇所の破断で異なる振動のピークが生じる。そのため、患者が薬、加速度センサ１０１は、サプリメント等の内容物が収納される収納袋を破って開封する際に、図２で示した音と同様に、所定の周期のピークを有する振動を検出する。
ピーク検出部１０２、ピーク間隔判定部１０３、行為完了判定部１０４のそれぞれは、第一の実施形態による音の波形と同様に振動の波形を処理すればよい。
【００２６】
以上、本発明の第二の実施形態による行為完了判定システム１０の処理フローについて説明した。上述の本実施形態による行為完了判定システム１０の処理において、加速度センサ１０１は、振動を検出する。ピーク検出部１０２は、加速度センサ１０１が検出した振動から当該振動のピークを検出する。ピーク間隔判定部１０３は、ピーク検出部１０２が検出した振動のピーク間隔を判定する。行為完了判定部１０４は、ピーク間隔判定部１０３が所定のピーク周期を判定した場合に、行為の完了を判定する。
このようにすれば、行為完了判定システム１０は、簡易な構成により安価かつ容易に、シート材の破断を検知して患者の服薬確認を行うことができる。
【００２７】
本発明の最小構成の行為完了判定システム１０について説明する。
本発明の行為完了判定システム１０は、図７に示すように、少なくとも振動検出センサ１０１と、ピーク検出部１０２と、ピーク間隔判定部１０３と、を備える。
振動検出センサ１０１は、振動を検出する。
ピーク検出部１０２は、振動検出センサ１０１が検出した振動から当該振動のピークを検出する。
ピーク間隔判定部１０３は、ピーク検出部１０２が検出した振動のピーク間隔を判定する。
本発明の最小構成の行為完了判定システム１０は、ピーク間隔判定部１０３が所定のピーク周期を判定することにより、行為の完了を判定する。
【００２８】
なお、本発明における記憶部やメモリは、適切な情報の送受信が行われる範囲においてどこに備えられていてもよい。また、記憶部やメモリは、適切な情報の送受信が行われる範囲において複数存在しデータを分散して記憶していてもよい。
【００２９】
なお本発明の実施形態における処理フローは、適切な処理が行われる範囲において、処理の順番が入れ替わってもよい。
【００３０】
なお本発明の実施形態について説明したが、上述の行為完了判定システム１０は内部に、コンピュータシステムを有している。そして、上述した処理の過程は、プログラムの形式でコンピュータ読み取り可能な記憶部に記憶されており、このプログラムをコンピュータが読み出して実行することによって、上記処理が行われる。ここでコンピュータ読み取り可能な記憶部とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００３１】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００３２】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００３３】
１０・・・行為完了判定システム
１６・・・電子機器
２０・・・収納袋
１０１・・・マイクロフォン
１０２・・・ピーク検出部
１０３・・・ピーク間隔判定部
１０４・・・行為完了判定部
１１０・・・ＣＰＵ
１２０・・・通信手段
【図１】
2017055788.tif 000003
【図２】
2017055788.tif 000004
【図３】
2017055788.tif 000005
【図４】
2017055788.tif 000006
【図５】
2017055788.tif 000007
【図６】
2017055788.tif 000008
【図７】
2017055788.tif 000009